(57)【特許請求の範囲】
【請求項１】
互いに対向する両側板と、前記両側板の一端部を接続するように配置される地板と、前記地板に対向し、かつ前記両側板の他端部を接続するように配置される天板とによって構成される四角枠形のエアフィルタ枠と、
前記エアフィルタ枠の後方側の開口部において、前記両側板間を連結し、かつ少なくとも一部が前記天板の後端部に対向して設けられる連結部材と、
前記連結部材において前方に向けて開口し、前記天板の後端部に沿って延びるスリットと、
前記天板の後端部から後方に向けて突出し、前記スリットに嵌入する凸部とを備え、
前記天板は、前記スリットが前記凸部に嵌入した状態で、前記天板の前端部が前記両側板から離れるように、前記凸部を中心に回動した後、前記凸部が前記スリットから抜き取られて、前記両側板から取り外されることを特徴とするエアフィルタ。
【請求項２】
前記天板の前記両側板に接続される両側端部それぞれには、前記側板の外周面に沿って、前記地板に向けて立ち上げられた立上片が連設され、
前記立上片には、穴又は突起が設けられる一方、前記各側板の他端部近傍には前記穴又は突起に一致する位置に、嵌合突起又は嵌合穴が設けられ、
前記穴又は突起が前記嵌合突起又は嵌合穴に嵌合することによって、前記天板が前記両側板に固定されることを特徴とする請求項１に記載のエアフィルタ。
【請求項３】
前記穴又は突起の前記嵌合突起又は嵌合穴との嵌合状態が外された後、前記天板はその前端部が前記両側板から離れるように回動させられることを特徴とする請求項２に記載のエアフィルタ。
【請求項４】
前記突起又は前記穴は、前記各立上片において、前方側に設けられることを特徴とする請求項２に記載のエアフィルタ。
【請求項５】
前記連結部材は、前記両側板、前記天板及び地板それぞれの後端部に対向するように設けられた両後方側枠部、後方天枠部、及び後方地枠部から構成されて四角枠形に形成され、
前記両側板それぞれの後端部が前記両後方側枠部に固定され、前記地板の後端部が前記後方地枠部に固定されると共に、前記スリットが前記後方天枠部に設けられることを特徴とする請求項１に記載のエアフィルタ。
【請求項６】
エアフィルタ枠の前方側の開口部において、前記両側板の前端部を連結するように、これらに着脱自在に取り付けられる補強部を備えることを特徴とする請求項１に記載のエアフィルタ枠。
【請求項７】
前記補強部は、両前方側枠部と、前記両前方側枠部の一端部を接続する前方天枠部と、前記両前方側枠部の他端部を接続する前方地枠部とから構成される四角枠形の枠部材であって、
前記前方地枠部が前記フィルタ枠の地板の上に載せられると共に、前記両前方側枠部それぞれに前記フィルタ枠の両側板の前端それぞれが嵌合されることにより、前記枠部材が前記両側板の前端部を連結することを特徴とする請求項６に記載のエアフィルタ。
【請求項８】
前記枠部材の内部には、プレフィルタ濾材が装着されることを特徴とする請求項７に記載のエアフィルタ。
【請求項９】
前記前方両側枠部それぞれには、前記両側板の前端部に沿って延びる溝が設けられ、前記両側板の前端部それぞれは前記溝に嵌合することを特徴とする請求項７に記載のエアフィルタ。
【請求項１０】
前記溝は、前記前方両側枠部それぞれの外周面に設けられた断面Ｌ字部材によって形成されることを特徴とする請求項９に記載のエアフィルタ。
【請求項１１】
前記天板の前記両側板に接続される両側端部それぞれには、前記側板の外周面に沿って、前記地板に向けて立ち上げられた立上片が連設され、
前記各立上片の前方側には凹部が設けられ、その凹部それぞれに前記前方側枠部と前記前方天枠部の接続部分が嵌合することを特徴とする請求項７に記載のエアフィルタ。
【請求項１２】
前記天板の前端部には、前記地板に向けて立ち上げられた第１の前方立上片が連設され、前記第１の前方立上片が前記凹部の一部を構成し、前記枠部材は前記両側板の前端部と前記第１の前方立上片に挟持されることを特徴とする請求項１１に記載のエアフィルタ。
【請求項１３】
前記地板の前端部には、前記天板に向けて立ち上げられた第２の前方立上片が連設されると共に、前記枠部材は、前記両側板の前端部と前記第２の前方立上片に挟持されていることを特徴とする請求項７に記載のエアフィルタ。
【発明の詳細な説明】
【技術分野】
【０００１】
本発明はビル空調、産業空調等で使用され、フィルタ枠の内部に配置された濾材を、天板を取り外して交換することが可能なエアフィルタに関する。
【背景技術】
【０００２】
従来、空気中の塵埃や汚染物質が除去されるために、ガラス繊維から成る濾紙やポリエステル等の不織布である濾材がひだ状に折り畳まれて濾材パックが形成され、その濾材パックが四角枠形のフィルタ枠内部に配置されて構成されるエアフィルタが知られている。この種のフィルタとしては、環境保全の観点から、耐用年数が経過した使用済みの濾材パックだけを交換して、フィルタ枠を繰り返し使用する濾材交換型のものが近年多く用いられつつある。
【０００３】
上記エアフィルタにおける濾材交換は、例えば、フィルタ枠の天板が取り外され、上面から濾材パックが抜き出された後、新たな濾材パックが挿入されて行われることが知られている（例えば特許文献１参照）。
【０００４】
しかし、エアフィルタは、通常、空調設備等に設けられたケーシング内に取り付けられて使用されている。そのため、特許文献１の構成では、天板を取り外し、又はフィルタ枠の上面から濾材パックの交換を行うときのスペース的な制約から、一旦エアフィルタ全体をケーシングから取り外した後、濾材パックの交換を行わなければならず交換作業が煩雑になる。
【０００５】
また、フィルタ枠のエア流入側の開口部から濾材パックを出し入して、濾材交換が行われることも知られている。しかし、フィルタ枠の天地板と濾材パックとの間のシール性確保のために、濾材パックの天地面には、弾性マット等から形成されたシール材が装着されていると共に、濾材パックの高さは、枠内部の高さに対してやや大きく設定されている。したがって、開口部から濾材パックを出し入れして濾材交換を行う場合、相当な力で濾材パックを枠内部に押し込める必要がある。
【０００６】
一方、特許文献２には、側板上端のエア下流側の端部に、天板が揺動自在に取り付けられ、天板を上方に揺動させることにより、フィルタ枠の前面から濾材パックを出し入れすることが可能な濾材交換型エアフィルタが開示されている。このエアフィルタでは、前面から濾材パックを取り出すことが可能であるため、エアフィルタ全体をケーシングから取り外さなくて良く、また、濾材パックを大きな力で押し込んでフィルタ枠の内部に挿入させる必要もなくなる。
【特許文献１】特許第３４６００３２号公報
【特許文献２】特許第３２７３３３３号公報
【発明の開示】
【発明が解決しようとする課題】
【０００７】
しかし、特許文献２の濾材交換型エアフィルタでは、天板を取り外すことができないため、濾材交換を行うとき上方に揺動された天板が邪魔になり、濾材交換の作業が煩雑になる。さらには天板が側板の上端に揺動自在に取り付けられているため、揺動構造が複雑になる。また、天板は両側板に固定されていないので、両側板の上側部分を連結する部材がなく、側板の上側部分は撓みやすくなり、エアフィルタ枠の側板の強度が低下するという問題もある。
【０００８】
そこで、本発明は以上の問題点に鑑みて成されたものであり、天板を簡単な構造で取り外すことできると共に、側板の強度を十分に維持することができるエアフィルタ枠を提供することを目的とする。
【課題を解決するための手段】
【０００９】
本実施形態に係るエアフィルタは、互いに対向する両側板と、両側板の一端部を接続するように配置される地板と、地板に対向し、かつ両側板の他端部を接続するように配置される天板とによって構成される四角枠形のエアフィルタ枠と、エアフィルタ枠の後方側の開口部において、両側板間を連結し、かつ少なくとも一部が天板の後端部に対向して設けられる連結部材と、連結部材において前方に向けて開口し、天板の後端部に沿って延びるスリットと、天板の後端部から後方に向けて突出し、スリットに嵌入する凸部とを備え、天板は、スリットが凸部に嵌入した状態で、天板の前端部が両側板から離れるように、凸部を中心に回動した後、凸部がスリットから抜き取られて、両側板から取り外されることを特徴とする。
【００１０】
天板の両側板に接続される両側端部それぞれには、側板の外周面に沿って、地板に向けて立ち上げられた立上片が連設され、立上片には、穴又は突起が設けられる一方、各側板の他端部近傍には穴又は突起に一致する位置に、嵌合突起又は嵌合穴が設けられることが好ましい。そして、穴又は突起が嵌合突起又は嵌合穴に嵌合することによって、天板の両側端部が両側板に固定される。なお、本発明においては、例えば、穴又は突起の嵌合突起又は嵌合穴との嵌合状態が外された後、天板はその前端部が両側板から離れるように回動させられる。突起又は穴は、各立上片において、前方側に設けられることが好ましい。
【００１１】
連結部材は、両側板、天板及び地板それぞれの後端部に対向するように設けられた両後方側枠部、後方天枠部、及び後方地枠部から構成されて四角枠形に形成されることが好ましい。この場合、両側板それぞれの後端部は両後方側枠部に固定され、地板の後端部が後方地枠部に固定されると共に、スリットが後方天枠部に設けられる。
【００１２】
エアフィルタ枠の前方側の開口部において、両側板の前端部を連結するように、これらに着脱自在に取り付けられる補強部を備えることが好ましい。これにより側板は、その前方側及び後方側から補強されることとなる。
【００１３】
補強部は、例えば、両前方側枠部と、両前方側枠部の一端部を接続する前方天枠部と、両前方側枠部の他端部を接続する前方地枠部とから構成される四角枠形の枠部材である。前方地枠部がフィルタ枠の地板の上に載せられると共に、両前方側枠部それぞれにフィルタ枠の両側板の前端それぞれが嵌合されることにより、枠部材が両側板の前端部を連結する。
【００１４】
枠部材の内部には、プレフィルタ濾材が装着されることが好ましい。前方両側枠部それぞれには、両側板の前端部に沿って延びる溝が設けられ、両側板の前端部それぞれは溝に嵌合することが好ましい。溝は、例えば、前方両側枠部それぞれの外周面に設けられた断面Ｌ字部材によって形成される。
【００１５】
天板の両側板に接続される両側端部それぞれには、側板の他端部の外周面に沿って、地板に向けて立ち上げられた立上片が連設され、各立上片の前方側には凹部が設けられ、その凹部それぞれに前方側枠部と天枠部の接続部分が嵌合することが好ましい。
【００１６】
天板の前端部には、例えば、地板に向けて立ち上げられた第１の前方立上片が連設され、第１の前方立上片は上記凹部の一部を構成する。そして、枠部材は両側板の前端部と第１の前方立上片に挟持されていることが好ましい。また、地板の前端部には、例えば天板に向けて立ち上げられた第２の前方立上片が連設される。枠部材は、両側板の前端部と第２の前方立上片に挟持されていることが好ましい。
【発明の効果】
【００１７】
本発明では、天板を回動した後前方に引き抜くことにより、容易に取り外すことが可能であるので、濾材パックの交換が容易になる。また連結部材によって、両側板間が連結されているので、両側板が補強されて変形しにくくなる。
【発明を実施するための最良の形態】
【００１８】
以下本発明について、図面を参照しつつ説明する。図１は、本発明の一実施形態に係るエアフィルタを示す分解斜視図である。本実施形態に係るエアフィルタ１０は、濾材パック１１と、フィルタ枠１２と、連結部材１３と、プレフィルタ１４とを備える。
【００１９】
フィルタ枠１２は、互いに対向して配置される略矩形の天板２１、地板２２と、互いに対向して配置される略矩形の左側板２３、右側板２４とを備え、これらが組み立てられると四角枠形を呈する。組み立てられたフィルタ枠１２において、天板２１、地板２２は上下方向Ｈ（例えば鉛直方向）に垂直に配置される共に、左側板２３、右側板２４は左右方向Ｌ（例えば水平方向）に垂直に配置される。連結部材１３は、フィルタ枠１２の後方に配置され、フィルタ枠１２の背面に取り付けられている。フィルタ枠１２、連結部材１３、後述するプレフィルタ枠３９は、例えば、アルミ、亜鉛鋼板から形成される。
【００２０】
濾材パック１１は、フィルタ枠１２の内部に配置されている。プレフィルタ１４は、濾材パック１１の前方に設けられ、フィルタ枠１２の前方側の開口部５０Ｆを覆うように配置される。本実施形態においては、フィルタ枠１２の前方側の開口部５０Ｆから後方側の開口部５０Ｂに向けてエアが流入される。
【００２１】
図２は、フィルタ枠及び連結部材の拡大斜視図である。図３は、天板を取り外したときのフィルタ枠を示す正面図である。図４は天板の側面図である。以下、図２〜４を用いて本実施形態に係るフィルタ枠及び連結部材の構成を説明する。
【００２２】
連結部材１３は、板状のフラットな四角枠形に形成され、左右方向Ｌに延び、互いに平行に配置される天枠部１３Ａ及び地枠部１３Ｂと、上下方向Ｈに延び、互いに平行に配置される両側枠部１３Ｃ、１３Ｄとによって形成される。
【００２３】
フィルタ枠１２の地板２２及び両側板２３、２４の後端部２２Ｂ〜２４Ｂは、フィルタ枠１２の外側に向かって垂直に折り曲げられて、折り曲げ部２２Ｓ〜２４Ｓとして形成される。各折り曲げ部２２Ｓ〜２４Ｓそれぞれは、地枠部１３Ｂ、及び両側枠部１３Ｃ、１３Ｄそれぞれの前面１３Ｆに対向して当接しており、地枠部１３Ｂ、及び両側枠部１３Ｃ、１３Ｄそれぞれにボルト２７等によって固定されている。これにより、地板２２は、両側板２３、２４の下端部２３Ｄ、２４Ｄを接続するように配置され、地板２２及び両側板２３、２４は、図３に示すように前方から見るとコの字を呈する。また、連結部材１３は、後方側の開口部５０Ｂにおいて、両側板２３、２４間を連結し、両側板２３、２４の後方側が左右に撓むのを規制する補強部となる。
【００２４】
天板２１は、その下面が左側板２３、右側板２４の上端部２３Ｕ、２４Ｕに当接してこれらの上に載置されている。これにより、天板２１は、両側板２３、２４を接続しフィルタ枠１２は四角枠形に形成される。天板２１が左側板２３、右側板２４の上に載置された状態では、天板２１の後端部２１Ｂは天枠部１３Ａの前面１３Ｆに対向し、好ましくは当接している。
【００２５】
天枠部１３Ａには、天板２１の後端部２１Ｂが対向又は当接する位置において、前面１３Ｆから背面１３Ｇに向けて貫通する第１及び第２のスリット３１、３２が設けられる。第１及び第２のスリット３１、３２は、フィルタ枠１２の左右方向Ｌにおける中心位置Ｃ１を中心に対称的に配置され、それぞれ左右方向Ｌに沿って延び、すなわち、天板２１の後端部２１Ｂに沿って延びている。
【００２６】
天板２１には、中心位置Ｃ１を中心に対称的に配置され、後端部２１Ｂから後方に向かって突出する第１及び第２の凸部３３、３４が形成される。第１及び第２の凸部３３、３４は、第１及び第２のスリット３１、３２に一致した位置に配置されて横長の略矩形に形成され、その横長さ（左右方向Ｌにおける長さ）は、第１及び第２のスリット３１、３２の長さより僅かに小さい。なお、第１及び第２の凸部３３、３４は、天板２１と同一の板から形成され、天板２１と同一平面上に配置されている。
【００２７】
天板２１が両側板２３、２４の上端部２３Ｕ、２４Ｕの上に載置させられると、第１及び第２の凸部３３、３４が第１及び第２のスリット３１、３２に嵌入される。第１及び第２のスリット３１、３２のスリット幅は、天板２１（すなわち、第１及び第２の凸部３３、３４）の厚さよりも大きく、第１及び第２の凸部３３、３４は、第１及び第２のスリット３１、３２に嵌入した状態でも、僅かに上下方向に移動することが可能である。これにより、天板２１は、第１及び第２の凸部３３、３４を通る左右方向Ｌに延びる軸を中心に、その前端部２１Ｆが、両側板２３、２４から離れるように、上方に回動することが可能である。
【００２８】
天板２１の左右方向における両端部（左端部２１Ｌ及び右端部２１Ｒ）は、下方に垂直に折り曲げられて、下方に向かって立ち上げられた板状の立上片３５Ｌ、３５Ｒに形成される。立上片３５Ｌ、３５Ｒそれぞれは、左側板２３、右側板２４の外周面に沿うように配置されている。
【００２９】
立上片３５Ｌ、３５Ｒそれぞれには、穴３６Ｌ、３６Ｒが穿設される。穴３６Ｌ、３６Ｒは、天板２１（すなわち、フィルタ枠１２）の前後方向Ｄにおける中央位置Ｃ２よりも前方側に配置される。一方、左側板２３、右側板２４それぞれの上端部２３Ｕ、２４Ｕ近傍の外周面には、穴３６Ｌ、３６Ｒに一致する位置に嵌合突起３７Ｌ、３７Ｒが設けられる。嵌合突起３７Ｌ、３７Ｒは穴３６Ｌ、３６Ｒに嵌合させられる。
【００３０】
嵌合突起３７Ｌ、３７Ｒが穴３６Ｌ、３６Ｒに嵌合させられた状態では、天板２１は両側板２３、２４の上に載置されている。また、この嵌合により天板２１は、両側板２３、２４に対して相対的に移動することが規制され、両側板２３、２４に固定されて取り付けられる。すなわち、突起３７Ｌ、３７Ｒが嵌合穴３６Ｌ、３６Ｒに嵌合すると、天板２１は上方に回動できなくなる。なお、立上片３５Ｌ、３６Ｒは、好ましくは両側板２３、２４を内側に向けて押圧するように配置されている。これにより、上記押圧に反発して両側板２３、２４が外側に向けて復元されるので、嵌合突起３７Ｌ、３７Ｒの穴３６Ｌ、３６Ｒへの嵌合状態は安定する。
【００３１】
本実施形態では、天板２１の前端部２１Ｆ側が上方に強く引っ張られて突起３７Ｌ、３７Ｒが嵌合穴３６Ｌ、３６Ｒから抜き取られると、天板２１は上方に向けて回動可能になる。そして、天板２１が上方に回動された後、上斜め前方に向けて引っ張られることにより、第１及び第２の凸部３３、３４が第１及び第２のスリット３１、３２から抜き取られ、天板２１が両側板２３、２４の上から取り外されることとなる。
【００３２】
また、取り外された天板２１は、天枠部１３Ａの前方に配置され、かつ前端部２１Ｆ側が僅かに斜め上を向くように傾けられた状態で、後方に押されることにより、第１及び第２の凸部３３、３４それぞれが第１及び第２のスリット３１、３２に挿入される。その後、天板２１が、第１及び第２の凸部３３、３４を中心に前端部２１Ｆが両側板２３、２４に近づくように下方に向けて回動させられると、嵌合突起３７Ｌ、３７Ｒの上に立上片３５Ｌ、３５Ｒが載せられた状態となる。次いで、天板２１が下方に向けて押圧されると、天板２１の両立上片３５Ｌ、３５Ｒが嵌合突起３７Ｌ、３７Ｒによって僅かに外側に広げられつつ、嵌合突起３７Ｌ、３７Ｒが穴３６Ｌ、３６Ｒに嵌合するまで天板２１が下方にさらに移動する。嵌合突起３７Ｌ、３７Ｒが穴３６Ｌ、３６Ｒに嵌合されると、天板２１が両側板２３、２４の上に載置され、天板２１が両側板２３、２４の上に取り付けられることとなる。このように、本実施形態では、天板２１は両側板２３、２４の上に着脱自在に取り付け可能である。
【００３３】
図２、４に示すように、天板２１の前端部２１Ｆは、下方に向かって垂直に折り曲げられており、下方に向かって立ち上げられた板状の第１の前方立上片２８に形成される。第１の前方立上片２８は、天板２１の左端部２１Ｌから右端部２１Ｒにわたって設けられる。また、立上片３５Ｌ、３５Ｒの前方側は切り取られており、天板２１には、天板２１の下面と、第１の前方立上片２８の背面と、立上片３５Ｌ、３５Ｒの前端面によって凹部３８Ｌ、３８Ｒが形成される。
【００３４】
図２に示すように、地板２２の前端部２２Ｆは、上方に向かって垂直に折り曲げられており、上方に向かって立ち上げられた板状の第２の前方立上片２９に形成される。第２の前方立上片２９は、地板２２の左端部２２Ｌから右端部２２Ｒにわたって設けられる。前後方向Ｄにおける両側板２３、２４の長さは、前後方向Ｄにおける天板２１、地板２２の長さより短く、前方立上片２８、２９と左右の側板２３、２４の前端部２３Ｆ、２４Ｆとの間には、隙間４７が形成されている。なお、天板２１が取り付けられた状態では、両側板２３、２４の前端部２３Ｆ、２４Ｆは、立上片３５Ｌ、３５Ｒの前端より前方側に配置され、側方から見ると、前端部２３Ｆ、２４Ｆは凹部３８Ｌ、３８Ｒの内部に配置される。
【００３５】
天板２１の第１の前方立上片２８の先端部は、図４に示すように、内側に垂直に折り曲げられた後、さらに上方に垂直に折り曲げられて二度折りされているが、二度折りされていなくても良い。また、地板２２の第２の前方立上片２９の先端部は、さらに内側に向けてムダ折りされて、そのムダ折りされた部分は、第２の前方立上片２９の背面に密着するように形成されるが、ムダ折りされていなくても良い。
【００３６】
側板２３、２４は、内側に向って折り曲げられておらず、側板２３、２４の内周面はフラットな平面に形成される。側板２３、２４の前端部２３Ｆ、２４Ｆは、外側に向けてムダ折りされて、そのムダ折りされた部分５１は、側板２３、２４の外周面に密着するように形成されるが、ムダ折りされていなくても良い。
【００３７】
再び図１を参照して本実施形態に係る濾材パック及びプレフィルタの構成を説明する。濾材パック１１は、ガラス繊維、合成繊維、不織布等から成るシート状濾材が、折り目に沿ってジグザグにひだ折りされて構成され、略直方体形に形成される。濾材パック１１は、その折り目が上下方向に平行にされ、かつその背面１１Ｂが連結部材１３の前面１３Ｆに当接するように、フィルタ枠１２の内部に配置される。
【００３８】
濾材パック１１の上下の端面１１Ｕ、１１Ｄそれぞれには、例えばクッション性を有するシート性の第１のシール材１５が取り付けられており、各端面１１Ｕ、１１Ｄは、シール材１５を介して、天板２１及び地板２２の内周面に圧接されている。これにより、天板２１及び地板２２の内周面と、濾材パック１１の各端面１１Ｕ、１１Ｄそれぞれの間は、各第１のシール材１５によってシールされると共に、濾材パック１１の端面１１Ｕ、１１Ｄは、第１のシール材１５を介して天板２１及び地板２２に支持される。
【００３９】
濾材パック１１の端面１１Ｕ、１１Ｄは、多数のひだ山の端面によって形成されており、ひだ山とひだ山との間からのエア漏れをなくすために、第１のシール材１５は、端面１１Ｕ、１１Ｄの全面に取り付けられている。
【００４０】
同様に、濾材パック１１の左右の端面１１Ｌ、１１Ｒそれぞれにも、第２シール材１６が取り付けられる。これにより、両側板２３、２４の内周面と、左右の端面１１Ｌ、１１Ｒそれぞれの間がシールされると共に、左右の端面１１Ｌ、１１Ｒは、第２のシール材１６を介して両側板２３、２４に支持される。但し、左右の端面１１Ｌ、１１Ｒは、１つのひだ山の１枚の折り壁で構成されるため、第２のシール材１６は、左右の端面１１Ｌ、１１Ｒの一部分に取り付けられる。なお、第１及び第２のシール材１５，１６は、例えば繊維材料、発泡体、スポンジ等のシート状の弾性材料で構成される。なお、第２のシール材１６は省略されていても良い。
【００４１】
プレフィルタ１４は、プレフィルタ枠３９と、プレフィルタ濾材４０とを有する。プレフィルタ枠３９は、左右方向Ｌに延びて互いに平行に配置される天枠部４１及び地枠部４２と、上下方向Ｈに延びて互いに平行に配置され、天枠部４１、地枠部４２の左右の端部それぞれを接続する左右の側枠部４３、４４とによって構成され、四角枠形に形成される。
【００４２】
プレフィルタ濾材４０は、濾材パック１１よりメッシュが粗い濾材であって、空気中の粗い塵埃や汚染物質を除去し、これらが濾材パック１１に付着することを防止する。プレフィルタ濾材４０は、その左右上下の端面が、左右の側枠部４３、４４、天枠部４１、及び地枠部４２に接着又は固定されることにより、プレフィルタ枠３９の内部に装着される。
【００４３】
図１、５に示すように、プレフィルタ枠３９の側枠部４３、４４の外周面４３Ｓ、４４Ｓには、上下方向に延びる断面Ｌ字部材４５Ｌ、４５Ｒが連設されている。断面Ｌ字部材４５Ｌ、４５Ｒは、例えば、両側枠部４３、４４に一体に形成され、その上端から下端まで設けられている。断面Ｌ字部材４５Ｌ、４５Ｒそれぞれは、外周面４３Ｓ、４４Ｓから外側に向かって突出する第１の突出部４５Ａと、第１の突出部４５Ａの先端部から後方に向かって突出する第２の突出部４５Ｂから成る。断面Ｌ字部材４５Ｌ、４５Ｒは、第１の突出部４５Ａを溝底面とすると共に、外周面４３Ｓ、４４Ｓ及び第２の突出部４５Ｂを溝側壁とする溝４６Ｌ、４６Ｒを形成し、これら溝４６Ｌ、４６Ｒは後方に向けて開口している。
【００４４】
溝４６Ｌ、４６Ｒの内部に、左側板２３、右側板２４の前端部２３Ｆ、２４Ｆが嵌合されると共に、地枠部４２の下面が地板２２の上面に置かれることにより、プレフィルタ枠３９はフィルタ枠１２に取り付けられ、濾材パック１１の前方に配置される。そして、天板２１が左右の側板２３、２４の上に載置させられ、突起３７Ｌ、３７Ｒが嵌合穴３６Ｌ、３６Ｒに嵌合した状態では、プレフィルタ枠３９の左側枠部４３、右側枠部４４それぞれと天枠部４１との接続部分５３Ｌ、５３Ｒは天板２１の凹部３８Ｌ、３８Ｒ（図２参照）に嵌合される。
【００４５】
天板２１が取り外された後、プレフィルタ枠３９は、上方に持ち上げられると共に、前方に引っ張られて、溝４６Ｌ、４６Ｒから前端部２３Ｆ、２４Ｆが抜き取られることにより、フィルタ枠１２から取り外される。一方、プレフィルタ枠３９は、上述したように、溝４６Ｌ、４６Ｒの内部に、左側板２３、右側板２４の前端部２３Ｆ、２４Ｆが嵌合されると共に、地枠部４２の下面が地板２２の上面に置かれることにより、フィルタ枠１２に取り付けられる。すなわち、プレフィルタ枠３９はフィルタ枠１２に着脱自在に取り付け可能である。
【００４６】
プレフィルタ枠３９の地枠部４２の前面は、第２の前方立上片２９の背面に圧接されると共に、天枠部４１の前面は、第１の前方立上片２８の背面に圧接されている。したがって、プレフィルタ枠３９は前方立上片２８、２９と両側板２３、２４とによって挟持され、フィルタ枠１２に固定されることとなる。このような状態では、フィルタ枠１２の両側板２３、２４の前方側が、プレフィルタ枠３９によって保持され、フィルタ枠１２の両側板２３、２４は、左右に撓みにくくなる。
【００４７】
本実施形態のエアフィルタ１０は、天板２１、プレフィルタ枠３９が順に取り外された後、使用済みの濾材パック１１がシール材１５、１６と共に、フィルタ枠１２から取り出される。次いで、新たな濾材パック１１がシール材１５、１６と共に、フィルタ枠１２の内部に装着され、濾材パック１１が交換される。濾材パック１１交換後、プレフィルタ枠３９、天板２１が順にフィルタ枠１２に取り付けられて、再度エアフィルタ１０が組み立てられる。
【００４８】
以上のように、本実施形態においては、天板２１を簡単な方法で回動して取り外すことできるので、濾材パック１１の交換を前方側から容易に行うことができる。また、天板２１は、上方へ僅かに回動した後に前方に引っ張っても取り外すことができるので、天板２１の上方に十分なスペースがなくても天板２１を取り外すことができる。したがって、本実施形態では、例えば、エアフィルタ１０をケーシングから取り出さなくても、濾材パック１１の交換を行うことが可能になる。なお、両側板２３、２４の前端部２３Ｆ、２４Ｆは内側に向けて折り曲げられていないので、本実施形態では、濾材パック１１は僅かに上方に持ち上げた状態で、前面側から出し入れすることができる。
【００４９】
なお、本実施形態においては、濾材パック１１の前方にプレフィルタ１４が配設されるが、プレフィルタ１４は配設されていなくても良い。但しこの場合も、両側板２３、２４の前端部２３Ｆ、２４Ｆを連結するように、これらに着脱自在に取り付けられ、両側板２３、２４の左右方向Ｌへの撓みを規制するための補強部が設けられることが好ましい。補強部としては、例えば、前端部２３Ｆ、２４Ｆを連結するように配置される柱状又は板状の部材であっても良いが、プレフィルタ枠３９と同様の構成を有する四角枠形の枠部材であっても良い。
【００５０】
また、本実施形態では、連結部材１３が四角枠形であったが、四角枠形でなくても良く、例えば、両側板２３、２４の後端部２３Ｂ、２４Ｂを連結する板状の連結部材であっても良い。
【００５１】
さらに、本実施形態では、天板２１の立上片３５Ｌ、３５Ｒに穴が、両側板２３、２４に嵌合突起が設けられたが、立上片３５Ｌ、３５Ｒそれぞれの内周面に突起が、両側板２３、２４に各突起が嵌合するための嵌合穴が穿設されていても良い。
【００５２】
なお、連結部材１３はその厚さが薄い板状部材であり、第１及び第２のスリット３１、３２は連結部材１３を貫通して設けられるが、連結部材１３が肉厚な場合、スリット３１、３２は連結部材を貫通していなくても良い。但しこの場合も、第１及び第２のスリット３１、３２は、前方に向けて開口している。
【図面の簡単な説明】
【００５３】
【図１】本発明の一実施形態に係るエアフィルタの分解斜視図である。
【図２】天板が取り外されたときのエアフィルタ枠及び連結部材を示す斜視図である。
【図３】天板を除くエアフィルタ枠を示す斜視図である。
【図４】天板を示す側面図である。
【図５】プレフィルタ枠の一部を示すための上面図である。
【符号の説明】
【００５４】
１０  エアフィルタ
１１  濾材パック
１２  フィルタ枠
１３  連結部材
１３Ａ  天枠部（後方天枠部）
１３Ｂ  地枠部（後方地枠部）
１３Ｃ、１３Ｄ  側枠部（後方側枠部）
１４  プレフィルタ
２１  天板
２２  地板
２３  左側板
２４  右側板
３１、３２  第１及び第２のスリット
３３、３４  第１及び第２の凸部
３６Ｌ、３６Ｒ  穴
３７Ｌ、３７Ｒ  嵌合突起
４１  天枠部（前方天枠部）
４２  地枠部（前方地枠部）
４３、４４  側枠部（前方側枠部）
【図１】
0005161531.tif 000002
【図２】
0005161531.tif 000003
【図３】
0005161531.tif 000004
【図４】
0005161531.tif 000005
【図５】
0005161531.tif 000006